(57)【要約】【課題】組立対象の変更あるいは組立作業の試行結果による治具配置変更の要請に適応するための自由度が大きく汎用性の高い配線システム組立治具を得る。【解決手段】電気回路の配線を構成するワイヤー２を布線治具８を用いて所定の構成体としワイヤーハーネス３からなる配線システムを組み立てるものにおいて、布線治具８を取り付けるワイヤーハーネス組立治具１を備え、ワイヤーハーネス組立治具１をリンク部材が格子状に配列され前記リンク部材の交点において結合部材により互いに回動自在に結合されたパンタグラフ構造７で構成した。【選択図】図１
2008123786.tif 000002
【特許請求の範囲】
【請求項１】
電気回路の配線を構成する線状素体を布線治具を用いて所定の構成体とし配線システムを組み立てるものにおいて、前記布線治具を取り付ける布線治具取付構造体を備え、前記布線治具取付構造体をリンク部材が格子状に配列され結合部材により互いに回動自在に結合された斜方格子構造で構成したことを特徴とする配線システム組立治具。
【請求項２】
前記布線治具取付構造体は、２本のリンク部材が中央部で結合部材により相互に結合されてＸ形状の単位要素を形成し、複数個の前記単位要素を相互に端点で結合した構造を有することを特徴とする請求項１に記載の配線システム組立治具。
【請求項３】
前記リンク部材はリンク部材の長手方向に延在し前記結合部材を取り付ける取付用長孔を有することを特徴とする請求項２に記載の配線システム組立治具。
【請求項４】
前記リンク部材はリンク部材の長手方向に対し等間隔に配設され前記結合部材を取り付ける取付用孔部を有することを特徴とする請求項２に記載の配線システム組立治具。
【請求項５】
前記リンク部材はリンク部材の表面に目盛を有することを特徴とする請求項２から請求項４までのいずれかに記載の配線システム組立治具。
【請求項６】
前記リンク部材を互いに回動自在に結合する結合部材に前記布線治具を取り付けることを特徴とする請求項１から請求項５までのいずれかに記載の配線システム組立治具。
【請求項７】
前記リンク部材はリンク部材の長手方向に延在し前記布線治具を取り付ける取付用長孔を有することを特徴とする請求項２に記載の配線システム組立治具。
【請求項８】
前記リンク部材はリンク部材の長手方向に対し等間隔に配設され前記布線治具を取り付ける取付用孔部を有することを特徴とする請求項２に記載の配線システム組立治具。
【請求項９】
前記布線治具取付構造体を所定の平面内において回転自在に保持する回転保持手段を設けたことを特徴とする請求項１から請求項８までのいずれかに記載の配線システム組立治具。
【請求項１０】
電気回路の配線を構成する線状素体を布線治具を用いて所定の構成体とし配線システムを組み立てるにあたり、リンク部材が格子状に配列され互いに回動自在に結合された斜方格子構造で構成した布線治具取付構造体に前記布線治具を取り付け、前記リンク部材の相互関係を変化することにより前記布線治具取付構造体の斜方格子構造を変形して前記布線治具の位置を調整することを特徴とする配線システム組立方法。
【発明の詳細な説明】
【技術分野】
【０００１】
この発明は、配線システム組立治具および配線システム組立方法、特に、ワイヤーハーネスと呼ばれる電気配線システムに関するワイヤーハーネス組立治具およびワイヤーハーネス組立方法に関するものである。
【背景技術】
【０００２】
基板やデバイスあるいは電源間の信号および電力の伝送には電線（ワイヤー）や同軸ケーブル等を用いているが、様々な産業で製造する電気・電子機器ではこれら電線や同軸ケーブルを複雑に配線するため、通常製造面およびコスト面からワイヤーおよび同軸ケーブル等を結束してユニット化する。このユニット化した電気配線システムを一般的にワイヤーハーネスと呼んでいる。
このワイヤーハーネスの組立方法は、（１）ワイヤーを所定の長さに切断する調尺切断工程、（２）多方向に分かれた複数本のワイヤーに保護チューブを被せるチューブ被覆工程、（３）複数本のワイヤーをハーネスボード上に引き回す布線工程、（４）ワイヤー端部に端子あるいはコネクタを圧着ないしハンダ付する端末処理工程、（５）相互のワイヤー位置を調整し、固定する位置調整固定工程、に分類できる。
工業製品としてのワイヤーハーネスは大量生産する場合は自動機で組立効率化を図る一方で、近年増加している少量多品種生産する場合には手作業で行う頻度も高くなっている。これまでは、手作業によるワイヤーハーネスの組立にはワイヤーハーネスの原寸形状を記し、これに布線治具等を取り付けた組立治具を用いることが多かったが、製品形状毎にワイヤーハーネス組立治具を用意する必要がありコスト面で問題があった。
これを解決する方策として、ハーネス固定位置を可変化でき、汎用性を持たせたワイヤーハーネス組立治具が開発されている（例えば、特許文献１参照）。
【０００３】
【特許文献１】特開平７−２３０７２５号公報（第３−４頁、図２）
【発明の開示】
【発明が解決しようとする課題】
【０００４】
一般的に工業製品の特性上例えば構造部材（切削品、板金品ほか）であれば、精度良く設計通りに組立を実施する必要がある。これは３次元空間において構造部材の位置精度すなわち設置位置が製品性能に与える影響が大きいためである。一方でワイヤーハーネスは工業製品の中でも３次元空間における位置精度すなわち設置位置はそれほど高く要求されない。これは３次元空間におけるワイヤーハーネスの位置精度が製品性能に対し与える影響が低いためである。従ってワイヤーハーネスは形状自由度の高さから図面上である一定の形状を描画できず、実際はワイヤー長、ワイヤーハーネス長およびワイヤーハーネス全体に対するワイヤーの分岐位置等の情報を記載することしかできない。このため製造現場側ではワイヤーハーネス形状の変更による組立治具形状の変更あるいは組立・作業性の試行結果による組立治具形状の変更を考慮し、組立治具側に自由度を持たせることが必要不可欠であった。
【０００５】
上記の特許文献１に記載されたような従来のワイヤーハーネス組立治具では、特許文献１の図２に示されているように、複数の枠材５１〜５４を組み合わせて枠体５０を組立図板４０の外郭形状に形成した後、この枠体５０で囲まれた領域内に取付板８１〜８３を予め定める状態で配置して、ワイヤーハーネスの形態に合致した骨組みを形成している。仮にワイヤーハーネスの形態に変更があっても取付板８１〜８３を組替えるだけで容易に対処できるため、ワイヤーハーネスのどうような形態の変化にも対処可能であり汎用性が高いという特徴が挙げられている。
上記の構成では単純形状のワイヤーハーネス組立においては汎用性が高いと言える。一方でワイヤー等が複雑に分岐するワイヤーハーネスでは上記の枠材を複数設置する必要があり、枠材同士の干渉等が発生して構造的にワイヤーハーネス組立治具を構成できない問題があった。また、仮にこのようなワイヤーハーネス組立治具を製作しても高額となる問題があった。
【０００６】
この発明は上記のような従来技術の課題を解消するためになされたものであり、組立対象の変更あるいは組立作業の試行結果による治具配置変更の要請に適応するための自由度が大きく汎用性の高い配線システム組立治具および配線システム組立方法を提供することを目的とするものである。
【課題を解決するための手段】
【０００７】
この発明に係る配線システム組立治具では、電気回路の配線を構成する線状素体を布線治具を用いて所定の構成体とし配線システムを組み立てるものにおいて、前記布線治具を取り付ける布線治具取付構造体を備え、前記布線治具取付構造体をリンク部材が格子状に配列され結合部材により互いに回動自在に結合された斜方格子構造で構成したものである。
【０００８】
この発明に係る配線システム組立方法では、電気回路の配線を構成する線状素体を布線治具を用いて所定の構成体とし配線システムを組み立てるにあたり、リンク部材が格子状に配列され互いに回動自在に結合された斜方格子構造で構成した布線治具取付構造体に前記布線治具を取り付け、前記リンク部材の相互関係を変化することにより前記布線治具取付構造体の斜方格子構造を変形して布線治具の位置を調整するものである。
【発明の効果】
【０００９】
この発明によれば、製品形状変更あるいは製造現場での組立・作業性の試行結果に伴う組立治具形状の変更を許容できる自由度および汎用性の高い配線システム組立治具および配線システム組立方法を得ることができる。
【発明を実施するための最良の形態】
【００１０】
実施の形態１．
この発明による実施の形態を図１から図１１までを用いて説明する。図１は、この発明による実施の形態におけるワイヤーハーネス組立治具の構成を示す斜視図である。図２は、この発明による実施の形態におけるワイヤーハーネス組立治具を構成するリンク部材の詳細構成を示す斜視図である。図３は、この発明による実施の形態におけるワイヤーハーネス組立治具を構成するパンタグラフ構造を示す詳細図である。図４は図３のＡ−Ａ線およびＢ−Ｂ線における断面図である。図５は、この発明による実施の形態におけるワイヤーハーネス組立治具を構成する布線治具を示す正面図である。図６は、この発明による実施の形態におけるワイヤーハーネス組立治具の変形構成を示す斜視図である。図７は、この発明による実施の形態におけるワイヤーハーネス組立治具を構成するリンク部材の変形構成を示す斜視図である。図８から図１１までは、この発明による実施の形態におけるワイヤーハーネス組立治具を用いてワイヤーハーネス組立を行う際の工程フローを示す斜視図である。図中、同一符号は同一もしくは相当部分を示すものとする。
【００１１】
この発明による実施の形態におけるワイヤーハーネス組立治具１は、図１に示すように、基板やデバイスあるいは電源間の信号および電力の伝送に用いられるワイヤー２を結束してユニット化した電気配線システムいわゆるワイヤーハーネス３の組立時に使用するものである。ワイヤーハーネス３を構成する線状素体としてのワイヤー２は、中実素線あるいは撚り線からなる配線ワイヤーに限らず、いわゆる同軸ケーブル等を含み、電気信号および電力の伝送に用いられる一切の線状素体が全て対象となるものである。
【００１２】
このワイヤーハーネス組立治具１は、図２に示すように、両端部に取付用穴部４と中央部に取付用長孔５を設けたヘラ状の薄板のリンク６を２本づつ中央部で結合してＸ形状の単位要素６ａ，６ｂ，６ｃ，６ｄ…を作成し、このＸ形状単位要素６ａ，６ｂ，６ｃ，６ｄ…を複数個結合して図３に示すように斜方格子構造いわゆるパンタグラフ構造７を形成している。Ｘ形状単位要素６ａはリンク６１およびリンク６２によって構成され、Ｘ形状単位要素６ｂはリンク６３およびリンク６４によって構成され、Ｘ形状単位要素６ｃはリンク６５およびリンク６６によって構成され、Ｘ形状単位要素６ｄはリンク６７およびリンク６８によって構成される。
ここで、図２に示すリンク６と図３に示すリンク６１〜６８は全て同一のものを表す。なお、これらリンク６の表面上にはワイヤー２の調尺が可能な目盛２６が設けてある。
【００１３】
これらリンク６で代表して示されるリンク６１〜６８相互の結合には各リンク上にある取付用穴部４もしくは取付用長孔５を用い、図４に示すように、リンク６１〜６８を２本づつ相互にボルト２７およびナット２８を用いて各リンクが回転できる範囲内で締結している。また、ボルト２７の先端部２９には市販品の布線治具８を差し込むことが可能な取付穴が設けてあり、ワイヤー２等を適当な位置で保持・固定できる。
また、布線治具８をリンク６で代表されるリンク６１〜６８に設けた取付用長孔５の任意の位置に取り付けるようにしてもよい。
ここで、布線治具８には図５に示すようにクランプ型布線治具８ａ，リング型布線治具８ｂ，Ｕ型布線治具８ｃの３種類を使用する。
このように、ワイヤーハーネス組立治具１の骨格であるパンタグラフ構造７は極めて単純な形状をしており、ワイヤーハーネス３の製品形状に依らない汎用性に富んだワイヤーハーネス組立治具１を得ることができる。
【００１４】
そして、この発明によるワイヤーハーネス組立治具１のパンタグラフ構造７は組立治具全域に設ける必要はなく、ワイヤーハーネス組立治具１の形状をワイヤーハーネス３の製品形状に応じて不要部分を省略して縮小し、図６に示すような形状としても同様の効果が得られる。
【００１５】
なお、リンク６で代表されるリンク６１〜６８の材質は金属および樹脂のいずれでも同様の効果が得られる。
また、Ｘ形状単位要素を構成するリンク６で代表されるリンク６１〜６８の形状は図７に示すような等間隔に取付用孔部３０を設けたヘラ状の薄板のリンク６を取付用孔部３０でボルト２７とナット２８からなる結合部材により複数本結合して斜方格子構造いわゆるパンタグラフ構造７を形成し、取付用孔部３０のいずれかにクランプ型布線治具８ａ，リング型布線治具８ｂ，Ｕ型布線治具８ｃなどの布線治具８を取り付けるようにしても取付用長孔５（図２参照）を設けた場合と同様の効果が得られる。
さらに、この発明による実施の形態におけるワイヤーハーネス３の形状はワイヤー２が多数分岐しており複雑な製品形状をしているが、より簡単なワイヤーハーネスにおいては、この発明によるワイヤーハーネス組立治具１の必要な機能のみを使用すればよく、この発明によるワイヤーハーネス組立治具１の効果を必要最小限の機能で有効に発揮することができる。
【００１６】
次に、実施の形態１なるワイヤーハーネス組立治具１の使用方法をワイヤーハーネス組立工程順に説明する。図８〜図１２はワイヤーハーネス組立治具１を用いてワイヤーハーネス組立を実施する際の各工程における組立概念図である。図８はワイヤー２等をワイヤーカッター等で所定の長さに切断する調尺切断工程（１）、図９は多方向に分かれた複数本のワイヤー２等に保護チューブ９を被せるチューブ被覆工程（２）、図１０は複数本のワイヤー２等をワイヤーハーネス組立治具１上に引き回す布線工程（３）、図１１はワイヤー２の端部に端子９あるいはコネクタ３７を圧着ないしハンダ付する端末処理工程（４）、そして図は省略するが相互のワイヤー位置を調整し、固定する位置調整固定工程（５）、を示している。以下において各工程別に説明する。
【００１７】
（１）調尺切断工程
図８に示した調尺切断工程では、まず、図８（ａ）に示すように、作業台上に設置したワイヤーハーネス組立治具１上にワイヤー２をクランプ型布線治具８ａで仮保持・仮固定する。
続いて、設計図面に従い所定の長さにワイヤー２をワイヤーカッター等で切断する。この際、切断の対象となるワイヤー２の端部をリンク６の取付用長孔５に嵌合して配置されたＵ型布線治具８ｃに取り付けて、Ｕ型布線治具８ｃをリンク６の取付用長孔５に沿って移動方向ＭＤとして示す方向に移動させ、リンク６に設けられた目盛２６を用いてワイヤー２を調尺し切断する。
【００１８】
（２）チューブ被覆工程
図９に示したチューブ被覆工程では、調尺切断工程（１）におけるワイヤー２とクランプ型布線治具８ａおよびＵ型布線治具８ｃを一度取り外し、図９（ａ）に示すように、ボルト２７（図４参照）上にリング型布線治具８ｂを取り付ける。
次に、図９（ｄ）に示す保護チューブ９の一端をリング型布線治具８ｂに挟み込む。次に、ワイヤーハーネス組立治具１を左右方向１０に収縮し、前後方向１１に伸展して保護チューブ９を収縮・拡管する。
次に、ワイヤーハーネス組立治具１の裏面に設けた回転台１３を用いてハーネス組立治具１を９０°回転し、図９（ｂ）に示すように、ワイヤー２を通しワイヤーハーネス３を構成するための保護チューブ９を手元化し作業員の作業を助ける。
次に、調尺切断工程（１）で製作したワイヤー２等を通し、その後、ワイヤーハーネス組立治具１を左右方向１０に伸展し、前後方向１１に収縮して、回転台１３を用い再び９０°逆回転し、図９（ｃ）に示す状態とする。
【００１９】
（３）布線工程
図１０に示した布線工程では、チューブ被覆工程（２）で保護チューブ９を被覆したワイヤー２をクランプ型布線治具８ａを用いて所定の形状に布線する。
【００２０】
（４）端末処理工程
図１１に示した端末処理工程では、図１１（ａ）に示す状態からワイヤーハーネス組立治具１を左右方向１０に収縮し、前後方向１１に伸展して、ワイヤー２の端末部１２を手元化する。この際、ワイヤーハーネス組立治具１の裏面に取り付けられた回転台１３を９０°回転し、図１１（ｂ）に示す状態として、作業者の端末部１２へのアクセスを容易とし作業性を向上させる。ワイヤー２の端末部１２への処理が行われ、コネクタ３７が取り付けられると、回転台１３を用いて再び９０°逆回転し、図１１（ｃ）に示す状態とする。
【００２１】
（５）位置調整固定工程
最後に、図は省略するが位置調整固定工程では、設計図面に基づきワイヤー２と保護チューブ９の位置調整を行う。
【００２２】
このように、この発明によるワイヤーハーネス組立治具１を使用してワイヤーハーネス組立を行った際、調尺切断工程においてワイヤーハーネス組立治具１上で実施可能であり作業効率向上が期待できる。
また、チューブ被覆工程において通常被覆しにくい保護チューブ９の被覆を簡素化でき作業効率向上が期待できる。
また、布線工程においてワイヤーハーネス組立治具１上の多くの取付用穴部４および取付用長孔５上で布線治具８を設置できるため任意の位置でワイヤー２の布線が可能であり、ワイヤーハーネス形状に依らない汎用性の高いワイヤーハーネス組立治具を得ることができる。
また、端末処理工程においてワイヤーハーネス組立治具１の骨格であるパンタグラフ構造７の持つリンク機構を利用することで、ワイヤーハーネス３の端末部１２を作業者に対し手元化できるため、作業効率向上が期待できる。
【００２３】
（１Ａ）この発明による実施の形態によれば、電気回路の配線を構成するワイヤー２や同軸ケーブルなどの線状素体を布線治具８ａ，８ｂ，８ｃを用いて所定の構成体とし、ワイヤーハーネス３からなる配線システムを組み立てるものにおいて、前記布線治具８ａ，８ｂ，８ｃを取り付けるワイヤーハーネス組立治具１からなる布線治具取付構造体を備え、前記ワイヤーハーネス組立治具１からなる布線治具取付構造体をへら状の薄板からなるリンク６で構成されるリンク部材が格子状に配列され前記リンク６からなるリンク部材の交点において取付用穴部４や取付用長孔５に設けられたボルト２７およびナット２８からなる結合部材により互いに回動自在に結合されたパンタグラフ構造７で構成される斜方格子構造で構成したので、組立対象の変更あるいは組立作業の試行結果による治具配置変更の要請に適応するための自由度が大きく汎用性の高い配線システム組立治具を得ることができる。
【００２４】
（１Ｂ）この発明による実施の形態によれば、前記（１Ａ）項の構成において、前記ワイヤーハーネス組立治具１からなる布線治具取付構造体は、へら状の薄板からなるリンク６でそれぞれ構成される２本のリンク部材を中央部で取付用長孔５（図２参照）または取付用孔部３０（図７参照）に設けられたボルト２７およびナット２８からなる結合部材により相互に結合してＸ形状の単位要素６ａ，６ｂ，６ｃ，６ｄ…を形成し、複数個の前記単位要素６ａ，６ｂ，６ｃ，６ｄ…を取付用穴部４に設けられたボルト２７およびナット２８からなる結合部材により相互に端点で結合した構造を有するので、組立対象の変更あるいは組立作業の試行結果による治具配置変更の要請に適応するための自由度が大きく汎用性が高いばかりでなく、組立対象としてのワイヤーハーネス３の製品サイズの大小に応じて容易にワイヤーハーネス組立治具１からなる布線治具取付構造体のサイズを変更することができる配線システム組立治具を得ることができる。
【００２５】
（１Ｃ）この発明による実施の形態によれば、前記（１Ｂ）項の構成において、前記へら状の薄板からなるリンク６で構成されるリンク部材はリンク部材の長手方向に延在し前記ボルト２７およびナット２８からなる結合部材を取り付ける取付用長孔５を有するので、取付用長孔５での前記ボルト２７およびナット２８からなる結合部材の取り付け位置を調整することにより、組立対象の変更あるいは組立作業の試行結果による治具配置変更の要請に適応するための自由度が大きく汎用性が高いばかりでなく、前記ワイヤーハーネス組立治具１からなる布線治具取付構造体の構成を任意に調整できる配線システム組立治具を得ることができる。
【００２６】
（１Ｄ）この発明による実施の形態によれば、前記（１Ｂ）項の構成において、前記へら状の薄板からなるリンク６で構成されるリンク部材はリンク部材の長手方向に対し等間隔に配設され前記結合部材を取り付ける取付用孔部３０を有するので、組立対象の変更あるいは組立作業の試行結果による治具配置変更の要請に適応するための自由度が大きく汎用性が高いばかりでなく、前記ボルト２７およびナット２８からなる結合部材を取付用孔３０のいずれかに取り付けることにより、組立対象の変更あるいは組立作業の試行結果による治具配置変更の要請に適応するための自由度が大きく汎用性が高いばかりでなく、前記ワイヤーハーネス組立治具１からなる布線治具取付構造体の構成を任意に調整できる配線システム組立治具を得ることができる。
【００２７】
（１Ｅ）この発明による実施の形態によれば、前記（１Ｂ）項の構成において、前記へら状の薄板からなるリンク６で構成されるリンク部材はリンク部材の表面に目盛２６を有するので、組立対象の変更あるいは組立作業の試行結果による治具配置変更の要請に適応するための自由度が大きく汎用性が高いばかりでなく、調尺を容易に行える配線システム組立治具を得ることができる。
【００２８】
（１Ｆ）この発明による実施の形態によれば、前記（１Ａ）項から前記（１Ｅ）項までのいずれかの構成において、前記へら状の薄板からなるリンク６で構成されるリンク部材を互いに回動自在に結合するボルト２７およびナット２８からなる結合部材に前記布線治具８ａ，８ｂ，８ｃを取り付けることを特徴とするので、組立対象の変更あるいは組立作業の試行結果による治具配置変更の要請に適応するための自由度が大きく汎用性が高いばかりでなく、ボルト２７およびナット２８からなる結合部材に取り付けた前記布線治具８ａ，８ｂ，８ｃにより、組立対象としてのワイヤーハーネス３を構成するワイヤー２や同軸ケーブルなどの線状素体を任意の位置で保持・固定し、また、調尺することができる配線システム組立治具を得ることができる。
【００２９】
（１Ｇ）この発明による実施の形態によれば、前記（１Ａ）項から前記（１Ｅ）項までのいずれかの構成において、前記へら状の薄板からなるリンク６で構成されるリンク部材の長手方向に延在し前記布線治具８ａ，８ｂ，８ｃの少なくともいずれかを取り付ける取付用長孔５を有するので、組立対象の変更あるいは組立作業の試行結果による治具配置変更の要請に適応するための自由度が大きく汎用性が高いばかりでなく、リンク６で構成されるリンク部材に設けられた取付用長孔５の任意の位置に取り付けられた布線治具８ａ，８ｂ，８ｃにより、組立対象としてのワイヤーハーネス３を構成するワイヤー２や同軸ケーブルなどの線状素体を任意の位置で保持・固定し、また、調尺することができる配線システム組立治具を得ることができる。
【００３０】
（１Ｈ）この発明による実施の形態によれば、前記（１Ａ）項から前記（１Ｅ）項までのいずれかの構成において、前記へら状の薄板からなるリンク６で構成されるリンク部材の長手方向に対し等間隔に配設され前記布線治具８ａ，８ｂ，８ｃの少なくともいずれかを取り付ける複数の取付用孔部３０を有するので、組立対象の変更あるいは組立作業の試行結果による治具配置変更の要請に適応するための自由度が大きく汎用性が高いばかりでなく、リンク６で構成されるリンク部材に設けられた複数の取付用孔部３０の少なくともいずれかに取り付けられた布線治具８ａ，８ｂ，８ｃにより、組立対象としてのワイヤーハーネス３を構成するワイヤー２や同軸ケーブルなどの線状素体を任意の位置で保持・固定し、また、調尺することができる配線システム組立治具を得ることができる。
【００３１】
（１Ｉ）この発明による実施の形態によれば、前記（１Ａ）項から前記（１Ｈ）項までのいずれかの構成において、前記ワイヤーハーネス組立治具１からなる布線治具取付構造体を所定の平面内において回転自在に保持する回転台１３からなる回転保持手段を設けたので、組立対象の変更あるいは組立作業の試行結果による治具配置変更の要請に適応するための自由度が大きく汎用性が高いばかりでなく、ワイヤー２や同軸ケーブルなどからなる線状素体の組立時にワイヤー２や同軸ケーブルなどからなる線状素体の端部へ端子あるいはコネクタを圧着ないしハンダ付する端末処理工程を実施する際、作業者に対しワイヤー２や同軸ケーブルなどからなる線状素体の端部を手元化できるため、線状素体端部を手元化するためのワイヤー２や同軸ケーブルなどからなる線状素体の巻き取り等の作業が発生せず組立効率を向上することができる配線システム組立治具を得ることができる。
【００３２】
（１Ｊ）電気回路の配線を構成するワイヤー２や同軸ケーブルなどの線状素体を布線治具８ａ，８ｂ，８ｃを用いて所定の構成体としワイヤーハーネス３からなる配線システムを組み立てるにあたり、へら状の薄板からなるリンク６で構成されるリンク部材が格子状に配列され前記リンク６で構成されるリンク部材の交点において取付用穴部４や取付用長孔５に設けられたボルト２７およびナット２８からなる結合部材により互いに回動自在に結合されたパンタグラフ構造７で構成される斜方格子構造で構成したワイヤーハーネス組立治具１からなる布線治具取付構造体に前記布線治具８ａ，８ｂ，８ｃを取り付け、前記リンク６で構成されるリンク部材の相互関係を変化することにより前記ワイヤーハーネス組立治具１からなる布線治具取付構造体のパンタグラフ構造７で構成される斜方格子構造を変形して布線治具８ａ，８ｂ，８ｃの位置を調整することを特徴とするので、組立対象の変更あるいは組立作業の試行結果による治具配置変更の要請に適応するための自由度が大きく汎用性が高いはかりでなく、組立作業効率を向上できる配線システム組立方法を得ることができる。
【図面の簡単な説明】
【００３３】
【図１】この発明による実施の形態におけるワイヤーハーネス組立治具の構成を示す斜視図である。
【図２】この発明による実施の形態におけるワイヤーハーネス組立治具を構成するリンク部材の詳細構成を示す斜視図である。
【図３】この発明による実施の形態におけるワイヤーハーネス組立治具を構成するパンタグラフ構造を示す詳細図である。
【図４】図３のＡ−Ａ線およびＢ−Ｂ線における断面図である。
【図５】この発明による実施の形態におけるワイヤーハーネス組立治具を構成する布線治具の構成を示す正面図である。
【図６】この発明による実施の形態におけるワイヤーハーネス組立治具の変形構成を示す斜視図である。
【図７】この発明による実施の形態におけるワイヤーハーネス組立治具を構成するリンク部材の変形構成を示す斜視図である。
【図８】この発明による実施の形態におけるワイヤーハーネス組立治具を用いてワイヤーハーネス組立を行う際の工程フローでを示す斜視図ある。
【図９】この発明による実施の形態におけるワイヤーハーネス組立治具を用いてワイヤーハーネス組立を行う際の工程フローを示す斜視図である。
【図１０】この発明による実施の形態におけるワイヤーハーネス組立治具を用いてワイヤーハーネス組立を行う際の工程フローを示す斜視図である。
【図１１】この発明による実施の形態におけるワイヤーハーネス組立治具を用いてワイヤーハーネス組立を行う際の工程フローを示す斜視図である。
【符号の説明】
【００３４】
１  ワイヤーハーネス組立治具、２  ワイヤー、３  ワイヤーハーネス、４  取付用穴部、５  取付用長孔、６  リンク、７  パンタグラフ構造、８  布線治具、８ａ  クランプ型布線治具、８ｂ  リング型布線治具、８ｃ  Ｕ字布線治具、９  保護チューブ、１０  左右方向、１１  前後方向、１２  端末部、１３  回転台、２６  目盛、２７  ボルト、２８  ナット、２９  先端部、３０  取付用孔部、３７  コネクター  ６１〜６８  リンク。
【図１】
2008123786.tif 000003
【図２】
2008123786.tif 000004
【図３】
2008123786.tif 000005
【図４】
2008123786.tif 000006
【図５】
2008123786.tif 000007
【図６】
2008123786.tif 000008
【図７】
2008123786.tif 000009
【図８】
2008123786.tif 000010
【図９】
2008123786.tif 000011
【図１０】
2008123786.tif 000012
【図１１】
2008123786.tif 000013